(57)【要約】【課題】折り畳んだ状態での搬入や容易且つ迅速な組み立てが可能であり、補強部材を別途用いることなく組み立て後の形態を安定させることができる展示台を提供する。【解決手段】展示台１００は、矩形状の第１側板５、第２側板６が第１折り線Ｌ１ａ、Ｌ１ｂを介して連結された断面矩形状の筒状体１と、筒状体１の上端の開口に装着される天面部２と、を有し、筒状体１の下端部が設置面に当接して起立する。筒状体１は、４箇所の稜部の下端部から一部分のみが内側に折り込まれて各側板に断面コ字状の支柱部２３が形成されており、天面部２の第１フラップ１３ａ、第２フラップ１３ｂの端縁に形成された第２係合溝１５が支柱部２３の上端に形成された第１係合溝９に係合することで支柱部２３の形状が保持される。【選択図】図１０
2015097559.tif 000002
【特許請求の範囲】
【請求項１】
４枚の側板が折り線を介して連結された断面矩形状の筒状体と、
該筒状体の上端の開口に装着される天面部と、
を有し、前記筒状体の下端部が設置面に当接して起立する展示台であって、
前記筒状体は、４箇所の稜部が下端部から上方に向かって部分的に内側に折り込まれて前記各側板に断面コ字状の支柱部が形成されており、
前記天面部は、前記支柱部の上端に係合することで前記支柱部の形状を保持することを特徴とする展示台。
【請求項２】
前記天面部は、前記支柱部の上端に支持されて載置面を形成する矩形状の天面板と、該天面板の四辺に折り線を介して連設され、前記天面板に対し略垂直に折り曲げられるフラップと、を有し、
前記支柱部の上端に形成された第１係合溝と、前記フラップの先端に形成された第２係合溝とが係合することで前記支柱部の形状を保持することを特徴とする請求項１に記載の展示台。
【請求項３】
前記筒状部の上端には折り線を介して折り返し片が連設されており、前記折り返し片を内側に折り返すとともに、前記折り返し片の先端に形成された凸状部を前記天面部に形成された差し込み孔に差し込むことで前記折り返し片が固定されることを特徴とする請求項１又は請求項２に記載の展示台。
【請求項４】
前記天面部に立設される表示部を有することを特徴とする請求項１乃至請求項３のいずれかに記載の展示台。
【請求項５】
前記筒状体は、前記筒状体の正面または背面を構成する矩形状の第１側板と、該第１側板の一方の側端縁に折り線を介して連設され、前記筒状体の側面を構成する矩形状の第２側板と、前記第１側板の他方の側端縁に折り線を介して連設される接着片と、を有する同一形状の筒状体形成部を二枚組み合わせて形成されることを特徴とする請求項１乃至請求項４のいずれかに記載の展示台。
【請求項６】
前記天面部の裏面には、補強板が貼り付け固定されることを特徴とする請求項１乃至請求項５のいずれかに記載の展示台。
【請求項７】
前記天面部及び前記補強板は段ボールシート製であり、前記補強板を構成する段ボールシートの目方向は、前記天面部を構成する段ボールシートの目方向に対し垂直であることを特徴とする請求項６に記載の展示板。
【請求項８】
４枚の側板が第１折り線を介して連結された断面矩形状の筒状体と、
該筒状体の上端の開口に装着される天面部と、
を有し、前記筒状体の下端部が設置面に当接して起立する展示台であって、
前記筒状体は、
各稜線から前記各側板の幅方向中央部に向けて略水平に形成される切り込みと、
該切り込みの両端部から前記側板の下端縁に延在する第２折り線と、
該第２折り線の上端部に形成された第１係合溝と、
を有し、
前記天面部は、
前記筒状体の開口を塞いて載置面を形成する矩形状の天面板と、
該天面板の四辺に折り線を介して連設されるフラップと、
該フラップの端縁に前記第１係合溝の間隔と略等間隔で形成された第２係合溝と、
を有し、
前記切り込みから下方の前記第１折り線を谷折り、前記第２折り線を山折りして前記筒状体の４箇所の稜部を下端部から上方に向かって部分的に内側に折り込むことで前記各側板に断面コ字状の支柱部が形成され、
前記フラップを前記天面板に対し略垂直に折り曲げた状態で前記天面部を前記支柱部の上端に装着したとき、前記第１係合溝と前記第２係合溝とが係合して前記支柱部の形状が保持されることを特徴とする展示台。
【発明の詳細な説明】
【技術分野】
【０００１】
本発明は、商品等の陳列棚として使用する、コンパクトに折り畳み可能で現場での組み立て作業も容易な展示台に関するものである。
【背景技術】
【０００２】
従来、スーパーマーケットやドラッグストア等の店舗において新商品の販促キャンペーンを行う場合、顧客に対し、その商品をいかに目立たせて強く印象付けるかが商品の購買チャンスを高めることにつながる。このように、顧客に商品を印象付ける手段として、商品に関する情報を表示したカード等の広告媒体（ＰＯＰ；ポップ広告）が取り付けられた展示台に商品を配置するのが効果的である。
【０００３】
このような展示台に共通する課題として、組み立て前はコンパクトに折り畳んで設置場所への搬入を容易にするとともに、設置場所へ搬入された後は容易に且つ迅速に組み立て可能とすることが挙げられる。例えば特許文献１には、平行四辺形状の内側面板を有する縦長矩形の内筒に補強板をＸ字状に組み合わせて収納し、内筒の外周に外筒を被せた陳列台が開示されている。
【０００４】
特許文献１の陳列台は、内筒及び外筒の正面と背面にそれぞれ表示域が設けられており、天を上にした基本設置状態では外筒が内筒の地の領域（下側）にあり、正面板を正面へ向けることで正面側の表示となる。また、陳列台の天地を入れ替えると、外筒が内筒の天の領域にスライド移動することで内筒の正面板の表示を隠し、代わって背面板の表示が表示されるため、背面板を正面へ向けることで表示を変更することができる。
【先行技術文献】
【特許文献】
【０００５】
【特許文献１】特開平９−１０８０７７号公報
【発明の概要】
【発明が解決しようとする課題】
【０００６】
特許文献１に記載の陳列台では、内筒に補強板をＸ字状に組み合わせた補強部材を収納することで筒状部の変形を抑制しているが、補強部材が別途必要となるため部材点数や組み立て工数が多くなるという問題点があった。
【０００７】
本発明は、上記問題点に鑑み、折り畳んだ状態での搬入や容易且つ迅速な組み立てが可能であり、補強部材を別途用いることなく組み立て後の形態を安定させることができる展示台を提供することを目的としている。
【課題を解決するための手段】
【０００８】
上記目的を達成するために本発明は、４枚の側板が折り線を介して連結された断面矩形状の筒状体と、該筒状体の上端の開口に装着される天面部と、を有し、前記筒状体の下端部が設置面に当接して起立する展示台であって、前記筒状体は、４箇所の稜部が下端部から上方に向かって部分的に内側に折り込まれて前記各側板に断面コ字状の支柱部が形成されており、前記天面部は、前記支柱部の上端に係合することで前記支柱部の形状を保持することを特徴としている。
【０００９】
また本発明は、上記構成の展示台において、前記天面部は、前記支柱部の上端に支持されて載置面を形成する矩形状の天面板と、該天面板の四辺に折り線を介して連設され、前記天面板に対し略垂直に折り曲げられるフラップと、を有し、前記支柱部の上端に形成された第１係合溝と、前記フラップの先端に形成された第２係合溝とが係合することで前記支柱部の形状を保持することを特徴としている。
【００１０】
また本発明は、上記構成の展示台において、前記筒状部の上端には折り線を介して折り返し片が連設されており、前記折り返し片を内側に折り返すとともに、前記折り返し片の先端に形成された凸状部を前記天面部に形成された差し込み孔に差し込むことで前記折り返し片が固定されることを特徴としている。
【００１１】
また本発明は、上記構成の展示台において、前記天面部に立設される表示部を有することを特徴としている。
【００１２】
また本発明は、上記構成の展示台において、前記筒状体は、前記筒状体の正面または背面を構成する矩形状の第１側板と、該第１側板の一方の側端縁に折り線を介して連設され、前記筒状体の側面を構成する矩形状の第２側板と、前記第１側板の他方の側端縁に折り線を介して連設される接着片とを有する同一形状の筒状体形成部を二枚組み合わせて形成されることを特徴としている。
【００１３】
また本発明は、上記構成の展示台において、前記天面部の裏面には、補強板が貼り付け固定されることを特徴としている。
【００１４】
また本発明は、上記構成の展示台において、前記天面部及び前記補強板は段ボールシート製であり、前記補強板を構成する段ボールシートの目方向は、前記天面部を構成する段ボールシートの目方向に対し垂直であることを特徴としている。
【００１５】
また本発明は、４枚の側板が第１折り線を介して連結された断面矩形状の筒状体と、該筒状体の上端の開口に装着される天面部と、を有し、前記筒状体の下端部が設置面に当接して起立する展示台であって、前記筒状体は、各稜線から前記各側板の幅方向中央部に向けて略水平に形成される切り込みと、該切り込みの両端部から前記側板の下端縁に延在する第２折り線と、該第２折り線の上端部に形成された第１係合溝と、を有し、前記天面部は、前記筒状体の開口を塞いて載置面を形成する矩形状の天面板と、該天面板の四辺に折り線を介して連設されるフラップと、該フラップの端縁に前記第１係合溝の間隔と略等間隔で形成された第２係合溝と、を有し、前記切り込みから下方の前記第１折り線を谷折り、前記第２折り線を山折りして前記筒状体の４箇所の稜部を下端部から上方に向かって部分的に内側に折り込むことで前記各側板に断面コ字状の支柱部が形成され、前記フラップを前記天面板に対し略垂直に折り曲げた状態で前記天面板を前記支柱部の上端に装着したとき、前記第１係合溝と前記第２係合溝とが係合して前記支柱部の形状が保持されることを特徴としている。
【発明の効果】
【００１６】
本発明の第１の構成によれば、筒状体に形成される支柱部の形状が天面部の装着によって保持されるため、筒状体の内部に補強部材を収納することなく組み立てられた展示台の形状を安定させることができる。従って、展示台の部材点数や組み立て工数を削減することができる。また、筒状体、天面部は平坦に折り畳んだ状態で設置場所に搬入され、その場で展示台を組み立て可能であるため、設置場所への搬入作業も容易となり、組み立て前の保管スペースも小さくなる。
【００１７】
また、本発明の第２の構成によれば、上記第１の構成の展示台において、天面部は、載置面を形成する矩形状の天面板と、天面板の四辺に折り線を介して連設されるフラップとを有しており、フラップの先端に形成された第２係合溝を支柱部の上端に形成された第１係合溝に係合することにより、支柱部の形状を簡易な構成で保持することができる。
【００１８】
また、本発明の第３の構成によれば、上記第１又は第２の構成の展示台において、筒状部の上端には折り線を介して折り返し片が連設されており、折り返し片を内側に折り返すとともに、折り返し片の先端に形成された凸状部を天面部に形成された差し込み孔に差し込むことで折り返し片が固定されるため、天面部を囲む筒状部の上端縁にシートの断面が露出せず、デザイン性に優れた展示台となる。また、シートの断面で手指を傷付けるおそれもなくなる。
【００１９】
また、本発明の第４の構成によれば、上記第１乃至第３のいずれかの構成の展示台において、天面部に立設される表示部を有することにより、商品を陳列する機能と表示部により商品の宣伝を行う広告宣伝機能の両方を兼ね備えた展示台となる。
【００２０】
また、本発明の第５の構成によれば、上記第１乃至第４のいずれかの構成の展示台において、筒状体の正面または背面を構成する矩形状の第１側板と、該第１側板の一方の側端縁に折り線を介して連設され、筒状体の側面を構成する矩形状の第２側板と、第１側板の他方の側端縁に折り線を介して連設される接着片とを有する筒状体形成部を二枚組み合わせて筒状体を形成することにより、印刷や裁断の制約を受ける大型の展示台も製造可能となる。また、同一形状の筒状体形成部を二枚用いることで、筒状体形成部の組み合わせを誤るおそれがなくなり、筒状体形成部の製造や管理も簡素化できる。
【００２１】
また、本発明の第６の構成によれば、上記第１乃至第５のいずれかの構成の展示台において、天面部の裏面に補強板を貼り付け固定することにより、重量の重い商品を載置したときの天面部の撓み変形を抑制することができる。
【００２２】
また、本発明の第７の構成によれば、上記第６の構成の展示台において、天面部及び補強板が段ボールシート製であり、補強板を構成する段ボールシートの目方向を、天面部を構成する段ボールシートの目方向に対し垂直とすることにより、天面部及び補強板の曲げ強度の強い方向が交差するため、より高い補強効果が得られる。
【００２３】
また、本発明の第８の構成によれば、筒状体の切り込みから下方の第１折り線を谷折り、第２折り線を山折りして筒状体の４箇所の稜部を下端部から上方に向かって部分的に内側に折り込むことで各側板に断面コ字状の支柱部を形成し、フラップを天面板に対し略垂直に折り曲げた状態で天面板を支柱部の上端に装着することで、第１係合溝と第２係合溝とが係合して支柱部の形状が保持されるため、筒状体の内部に補強部材を収納することなく組み立てられた展示台の形状を簡単に安定させることができ、展示台の部材点数や組み立て工数を削減することができる。また、筒状体、天面部は平坦に折り畳んだ状態で設置場所に搬入され、その場で展示台を組み立て可能であるため、設置場所への搬入作業も容易となり、組み立て前の保管スペースも小さくなる。
【図面の簡単な説明】
【００２４】
【図１】本発明の一実施形態に係る展示台１００を構成する筒状体形成部１ａ、１ｂの展開図
【図２】本実施形態の展示台１００を構成する天面部２を表面側から見た展開図
【図３】本実施形態の展示台１００を構成する天面部２を裏面側から見た展開図
【図４】本実施形態の展示台１００を構成する表示部３の平面図
【図５】本実施形態の展示台１００の組み立て途中の状態を示す斜視図であり、筒状体形成部１ａ、１ｂを貼り合わせて筒状体１を組み立てた状態を示す図
【図６】本実施形態の展示台１００の組み立て途中の状態を示す斜視図であり、筒状体１の稜部を第１折り線Ｌ１ａ、Ｌ１ｂ、第２折り線Ｌ２に沿って折り込んで支柱部２３を形成した状態を示す図
【図７】本実施形態の展示台１００の組み立て途中の状態を示す斜視図であり、天面部２の第１フラップ１３ａ、第２フラップ１３ｂを裏面側に略垂直に折り曲げた状態を示す図
【図８】本実施形態の展示台１００の組み立て途中の状態を示す斜視図であり、筒状体１に天面部２を取り付けた状態を示す図
【図９】本実施形態の展示台１００の組み立て途中の状態を示す斜視図であり、筒状体１の第１折り返し片１０ａ、第２折り返し片１０ｂを内側に折り返した状態を示す図
【図１０】本実施形態の展示台１００を組み立てた状態を示す斜視図
【発明を実施するための形態】
【００２５】
以下、図面を参照しながら本発明の実施形態について説明する。なお、以下に示す各展開図においては、折り線を破線、切り込み線を実線で示すものとする。図１は、本発明の一実施形態に係る展示台１００を構成する筒状体形成部１ａ、１ｂの展開図、図２及び図３は、それぞれ展示台１００を構成する天面部２を表面側及び裏面側から見た展開図であり、図４は、展示台１００を構成する表示部３の平面図である。筒状体形成部１ａ、１ｂ、天面部２、表示部３は、段ボールシートを所定の形状に打ち抜いて形成されている。なお、筒状体形成部１ｂは筒状体形成部１ａと全く同一の形状であるため、ここでは筒状体形成部１ａの構成についてのみ説明する。
【００２６】
筒状体形成部１ａは、筒状体１（図５参照）の正面または背面を構成する矩形状の第１側板５と、第１側板５の一方の側端縁に第１折り線Ｌ１ａを介して連設され、筒状体１の側面を構成する矩形状の第２側板６と、第１側板５の他方の側端縁に第１折り線Ｌ１ｂを介して連設される接着片７とを有する。第１折り線Ｌ１ａ、Ｌ１ｂは、押し罫に沿ってミシン目が形成されたもの（リード罫）であり、逆方向への折り曲げも可能となっている。なお、後述する第２折り線Ｌ２〜第４折り線Ｌ４はミシン目が連なったものである。
【００２７】
第１側板５、第２側板６には、それぞれ両側端縁から内側に向かう水平な切り込み８が形成されている。第１側板５の一方側（図１の右側）に形成される切り込み８は、第１折り線Ｌ１ａを越えて第２側板６の一方側（図１の左側）に形成される切り込み８と繋がっている。また、第１側板５の他方側（図１の左側）に形成される切り込み８は、第１折り線Ｌ１ｂを越えて接着片７の側端縁まで達している。
【００２８】
また、各切り込み８の端部から第１側板５、第２側板６の下端部に向かう垂直な第２折り線Ｌ２が形成されている。第２折り線Ｌ２の上端部には、切り込み８に繋がる第１係合溝９が形成されている。さらに、第１側板５、第２側板６の上端縁には第３折り線Ｌ３を介して第１折り返し片１０ａ、第２折り返し片１０ｂが連設されており、第１折り返し片１０ａ、第２折り返し片１０ｂの第３折り線Ｌ３と対向する端縁には凸状部１１が形成されている。
【００２９】
図２に示すように、天面部２は、矩形状の天面板１２と、天面板１２の対向する二辺（長辺）に第４折り線Ｌ４を介して連設される一対の第１フラップ１３ａと、天面板１２の他の二辺（短辺）に第４折り線Ｌ４を介して連設される一対の第２フラップ１３ｂとで構成されている。第１フラップ１３ａ、第２フラップ１３ｂの第４折り線Ｌ４と対向する端縁の２箇所には第２係合溝１５が形成されている。第１フラップ１３ａに形成される第２係合溝１５の間隔は、第１側板５に形成される第１係合溝９（図１参照）の間隔と略等しくなっている。また、第２フラップ１３ｂに形成される第２係合溝１５の間隔は、第２側板６に形成される第１係合溝９の間隔と略等しくなっている。
【００３０】
また、天面板１２の周縁部の六箇所には、第４折り線Ｌ４に沿ってスリット状の差し込み孔１７が形成されている。各差し込み孔１７は、第１折り返し片１０ａ、第２折り返し片１０ｂに形成される凸状部１１（図１参照）に対応する位置に配置されており、各差し込み孔１７の寸法は、対応する凸状部１１よりも若干大きくなっている。
【００３１】
図３に示すように、天面板１２の裏面側には段ボールシート製の補強板４（図３のハッチングで表示）が貼り付けられている。補強板４の寸法は、天面板１２に貼り付けたとき差し込み孔１７に重ならないように天面板１２よりも僅かに小さく形成されている。また、補強板４を構成する段ボールシートの目方向は、天面板１２を構成する段ボールシートの目方向に対し垂直となっている。なお、段ボールシートの「目方向」とは、２枚の平板間に波板が挟まれた段ボールシートにおいて、平板と波板とで形成される細管の長手方向をいう。
【００３２】
表示部３は、絵や写真、文字等が印刷または貼り付けられることで商品の宣伝を行う部分である。図４に示すように、表示部３の下端部の２箇所には差し込み片２０が一体形成されており、各差し込み片２０の端縁には第３係合溝２１が形成されている。差し込み片２０に形成される第３係合溝２１の間隔は、第１側板５に形成される第１係合溝９（図１参照）の間隔と略等しくなっている。なお、表示部３に限らず、筒状体形成部１ａ、１ｂ、天面部２にも予め印刷等を施しておいても良い。
【００３３】
次に、本実施形態の展示台１００の組み立て手順について説明する。先ず、図１に示した筒状体形成部１ａの接着片７を、筒状体形成部１ｂの第２側板６の側端縁に接着する。同様に、筒状体形成部１ｂの接着片７を、筒状体形成部１ａの第２側板６の側端縁に接着する。筒状体形成部１ａ、１ｂの接着にはホットメルト接着剤等が用いられる。そして、第１折り線Ｌ１ａ、Ｌ１ｂに沿って山折りすることにより、図５に示すように角筒状の筒状体１が組み立てられる。
【００３４】
次に、角筒状に組み立てられた筒状体１の４つの側面（第１側板５、第２側板６）を第２折り線Ｌ２に沿って山折りするとともに、切り込み８の下方の部分のみ第１折り線Ｌ１ａ、Ｌ１ｂに沿って谷折りする。これにより、図６に示すように、筒状体１の４箇所の稜部が、切り込み８の下方の部分のみ第１折り線Ｌ１ａ、Ｌ１ｂ、第２折り線Ｌ２に沿って内側に略垂直に折り込まれ、筒状体１の各側面に断面コ字状の支柱部２３が形成される。
【００３５】
一方、図７に示すように、天面部２の第１フラップ１３ａ、第２フラップ１３ｂを第４折り線Ｌ４に沿って裏面側（補強板４の貼り付けられている側）へ略垂直に折り曲げる。そして、図６に示した筒状体１の上方の開口に第１フラップ１３ａ、第２フラップ１３ｂを下向きにして嵌め込む。このとき、図８に示すように、天面板１２は筒状体１の各側面の内側に折り込まれた部分（支柱部２３の側面）の上端によって支持されるとともに、筒状体１の第１係合溝９と天面部２の第１フラップ１３ａ、第２フラップ１３ｂに形成された第２係合溝１５とが係合し、第１フラップ１３ａ、第２フラップ１３ｂの一部が切り込み８から筒状体１の外部に突出する。これにより、支柱部２３の形状が保持される。
【００３６】
次いで、図９に示すように、筒状体１の開口縁の第１折り返し片１０ａ、第２折り返し片１０ｂを第３折り線Ｌ３に沿って内側に折り返し、凸状部１１を天面板１２の対応する差し込み孔１７に差し込むことで第１折り返し片１０ａ、第２折り返し片１０ｂの折り返し状態を保持する。図１に示すように、第３折り線Ｌ３は平行な二本のミシン目で構成されており、第１折り返し片１０ａ、第２折り返し片１０ｂを第３折り線Ｌ３に沿って折り返すことで、天面部２を囲むように額縁状の側壁部が形成される。最後に、表示部３の差し込み片２０を第１フラップ１３ａに沿った差し込み孔１７に差し込み、第３係合溝２１を筒状体１の第１係合溝９に係合させることにより、図１０に示したような展示台１００の組み立てが完了する。
【００３７】
展示台１００は、支柱部２３を形成する前の筒状体１（図５参照）を、第１折り線Ｌ１ａ（またはＬ１ｂ）に沿って平坦に折り畳んだ状態で、天面部２及び表示部３（図２、図３参照）と共に設置場所へ搬入され、上述した手順により組み立てられる。組み立てられた展示台１００は、天面板１２に商品を陳列する機能（シェルフ機能）と表示部３により商品の宣伝を行う広告宣伝機能の両方を兼ね備えている。
【００３８】
本実施形態の展示台１００は、コンパクトに折り畳んだ状態で設置場所への搬入が可能であり、保管スペースも小さくなる。また、天面部２の装着によって筒状体１の支柱部２３の形状が保持されるため、筒状体１の内部に補強部材を配置しなくとも外力によって筒状体１が容易に変形せず、組み立て作業も容易な展示台１００となる。
【００３９】
また、天面部２を構成する天面板１２の裏面に補強板４を貼り付けることにより、天面板１２上に商品を載置したときに天面板１２が撓みにくくなる。また、補強板４を構成する段ボールシートの目方向を、天面板１２を構成する段ボールシートの目方向と垂直にすることにより、補強板４による補強効果をより高めることができる。
【００４０】
さらに、筒状体１の開口端に連設された折り返し片１０ａ、１０ｂを内側に折り返して天面板１２に固定することにより、商品の載置部となる天面板１２の周囲に段ボールシートの断面（エッジ部）が露出せず、デザイン性に優れた展示台１００となる。また、段ボールシートの断面（エッジ部）で手指を傷付けるおそれもなくなる。
【００４１】
その他本発明は、上記実施形態に限定されず、本発明の趣旨を逸脱しない範囲で種々の変更が可能である。例えば、上記実施形態では展示台１００を構成する筒状部１、天面部２、表示部３、補強板４を段ボールシートで形成したが、段ボールシートに限らず、コート紙等の厚紙や樹脂シート等の他のシート材を用いることもできる。
【００４２】
また、上記実施形態では、同一形状の筒状体形成部１ａ、１ｂを二枚組み合わせて筒状体１を形成しているが、筒状体形成部１ａ、１ｂを連続した一枚のシートとしても良い。但し、展示台１００を構成する筒状体１が大型である場合、筒状体１を組み立てる前のシートも大型になるため、印刷機や裁断機の制約を受けやすくなる。そこで、二枚の筒状体形成部１ａ、１ｂを組み合わせて筒状体１を形成することで、一枚のシートとする場合の半分の大きさとなるため、印刷や裁断の制約を受けることなく大型の展示台も製造可能となる。このとき、同一形状の筒状体形成部１ａ、１ｂを二枚用いることで、筒状体形成部１ａ、１ｂの組み合わせを誤るおそれがなくなり、筒状体形成部１ａ、１ｂの製造や管理も簡素化できる。
【００４３】
また、表示部３の形状や大きさについても特に制限はなく、設置場所やデザイン性に応じて適宜変更することができる。また、表示部３、補強板４は必須の構成要素ではなく、例えば補強板４は、天面板１２上に載置される被保持物（商品）の重量等を考慮し、必要に応じて用いることができる。
【産業上の利用可能性】
【００４４】
本発明は、折り畳んだ状態で搬入され、設置場所で立体形状に組み立てられる展示台に利用可能である。本発明の利用により、コンパクトに折り畳んだ状態での搬入や容易且つ迅速な組み立てが可能で、補強部材を別途用いることなく組み立て後の形態が安定したものとなる、構成が簡単で低コストな展示台を提供することができる。
【符号の説明】
【００４５】
１                筒状体
１ａ、１ｂ        筒状体形成部
２                天面部
３                表示部
４                補強板
５                第１側板
６                第２側板
７                接着片
８                切り込み
９                第１係合溝
１０ａ            第１折り返し片
１０ｂ            第２折り返し片
１１              凸状部
１２              天面板
１３ａ            第１フラップ
１３ｂ            第２フラップ
１５              第２係合溝
１７              差し込み孔
２０              差し込み片
２１              第３係合溝
２３              支柱部
１００            展示台
Ｌ１ａ、Ｌ１ｂ    第１折り線
Ｌ２              第２折り線
Ｌ３              第３折り線
Ｌ４              第４折り線
【図１】
2015097559.tif 000003
【図２】
2015097559.tif 000004
【図３】
2015097559.tif 000005
【図４】
2015097559.tif 000006
【図５】
2015097559.tif 000007
【図６】
2015097559.tif 000008
【図７】
2015097559.tif 000009
【図８】
2015097559.tif 000010
【図９】
2015097559.tif 000011
【図１０】
2015097559.tif 000012